【誤訳訂正書】
【提出日】平成25年12月11日(2013.12.11)
【誤訳訂正１】
【訂正対象書類名】明細書
【訂正対象項目名】００６０
【訂正方法】変更
【訂正の内容】
【００６０】
５）置換基ＲＦ又はＲＦ’は、−ＳＯ２Ｘ’、−Ｏ−、−ＳＯ２−、及び−ＮＲ’から選択される１つまたは２つの、原子、基、又は末端基を有してよく、原子、基又は末端基はα位に存在しなく、これらの２つは互いに結合しなく、Ｒ’は１〜６の炭素原子を含有する非フッ素化、部分フッ素化若しくは完全フッ素化のアルキルであるか、３〜７の炭素原子を含有する置換若しくは無置換のシクロアルキルであるか、置換若しくは無置換のフェニルであるか、又は置換若しくは無置換のヘテロ環であり、Ｘ’はＦ、Ｃｌ、又はＢｒである。
【誤訳訂正２】
【訂正対象書類名】明細書
【訂正対象項目名】００６２
【訂正方法】変更
【訂正の内容】
【００６２】
６）塩成分のアニオンの置換基Ｒ１は、独立に、
Ｈ（ただし、ヘテロ原子に結合している少なくとも１つのＲ１はＨでない。）、
１〜２０の炭素原子を含有するアルキル、
２〜２０の炭素原子と１つ以上の二重結合とを含有するアルケニル（そのアルケニルは直鎖でもよいし、又は分岐でもよい。Ｒ１がアルケニル置換基である例は、プロペニル、２若しくは３−ブテニル、イソブテニル、二級ブテニル、ペンテニル、イソペンテン、ヘキセニル、ヘプテニル、−Ｃ９Ｈ１７、−Ｃ１０Ｈ１９〜−Ｃ２０Ｈ３９である。Ｒ１がアリル、ブテニル、イソブテニル又は二級ブテニルであることが好ましい。）
【誤訳訂正３】
【訂正対象書類名】明細書
【訂正対象項目名】０１１７
【訂正方法】変更
【訂正の内容】
【０１１７】
図５はこのデバイスの光電流作用スペクトルを示す。光電変換効率（ＩＰＣＥｓ）は、４６０〜６５０ｎｍの幅広いスペクトル範囲で６０％を超え、５４０ｎｍで約８１％の最大値に到達する。標準的なＡＭ１．５の太陽放射でこの曲線の重なり積分から、１４．３０ｍＡ／ｃｍ２の短絡回路電流（Ｊｓｃ）が計算され、その計算値は、測定された光電流値と極めてよく一致している。このことは、使用した模擬実験とＡＭ１．５の太陽放射との間に不一致がないことを裏付け、８．２％の変換効率が、実に通常的な報告状況であることを表す。
（態様）
（態様１）
電解質を含む、光電子及び／又は電気化学デバイスであって、該電解質が態様２から１２のいずれか１項に記載の複合イオン液体を含む、デバイス。
（態様２）
２つ以上の塩成分を含む複合イオン液体であって、該塩成分の少なくとも１つの溶融温度が常温（２５℃）よりも高温である、複合イオン液体。
（態様３）
常温で液体である、態様２に記載の複合イオン液体。
（態様４）
前記塩成分がイオン液体である、態様２から３のいずれか１項に記載の複合イオン液体。
（態様５）
前記塩成分の１つ、２つ又は３つ以上がカチオンを含み、該カチオンが、Ｎ＋、Ｐ＋、Ｃ＋、Ｓ＋、及びそれらの組み合わせの群から選択される少なくとも１つの荷電原子を含む有機化合物から独立に選択され、該有機化合物が、適宜１つ以上のヘテロ原子を含む、態様２から４のいずれか１項に記載の複合イオン液体。
（態様６）
前記塩成分の前記カチオンが、独立に、次の化学構造式で示されるカチオンから選択される、態様２から５のいずれか１項に記載の複合イオン液体。
【化１】
2011509503.tif 000001
該式中、
１）Ｒは独立に、
Ｈ（ただし、ヘテロ原子に結合している少なくとも１つのＲはＨでない。）、
１〜２０の炭素原子を含有する直鎖アルキル又は分岐アルキル、
２〜２０の炭素原子と１つ以上の二重結合とを含有する直鎖アルケニル又は分岐アルケニル、
２〜２０の炭素原子と１つ以上の三重結合とを含有する直鎖アルキニル又は分岐アルキニル、
３〜７の炭素原子を含有する飽和、部分飽和又は完全不飽和の環状アルキル、
それぞれのＲがヘテロ原子に結合されていないという条件で、ハロゲン、特にはＦ又はＣｌ、
それぞれのＲが正電荷によってヘテロ原子に結合されていなく、かつ、少なくとも１つのＲがＮＯ２ではないという条件で−ＮＯ２、及び
それぞれのＲが正電荷によってヘテロ原子に結合されていなく、かつ、少なくとも１つのＲがＣＮではないという条件で−ＣＮ、
から選択され、
（２）個々のＲは様々な場合において同一又は異なり、
２つ以上のＲは１つ以上の単結合及び／又は二重結合によって互いに結合されてよく、
少なくとも１つのＲがハロゲン化されていないという条件で、１つ以上のＲは、ハロゲン特には、−Ｆ若しくは−Ｃｌによって部分的に若しくは完全に水素が置換されるか、又は−ＣＮ若しくは−ＮＯ２によって部分的に置換され、
Ｒの１つ若しくは２つの炭素原子はヘテロ原子によって置換されるか、又は−Ｏ−、Ｃ（Ｏ）−、Ｃ（Ｏ）Ｏ−、−Ｓ−、−Ｓ（Ｏ）−、−ＳＯ２−、−Ｓ（Ｏ）２Ｏ−、−Ｎ＝、−Ｐ＝、−ＮＲ’−、−ＰＲ’−、−Ｐ（Ｏ）（ＯＲ’）−、−Ｐ（Ｏ）（ＯＲ’）Ｏ−、−Ｐ（Ｏ）（ＮＲ’Ｒ’）−、−Ｐ（Ｏ）（ＮＲ’Ｒ’）Ｏ−、−Ｐ（Ｏ）（ＮＲ’Ｒ’）ＮＲ’−、−Ｓ（Ｏ）ＮＲ’−若しくは−Ｓ（Ｏ）２ＮＲ’−から選択され、
該式中、Ｒ’は、Ｈ、１〜６の炭素原子を含有する非フッ素化、部分フッ素化若しくは完全フッ素化のアルキル、又は非フッ素化、部分フッ素化若しくは完全フッ素化のフェニルである。
（態様７）
前記塩成分のアニオンが、独立に、次の化学式で示されるアニオンから選択される、態様２から６のいずれか１項に記載の複合イオン液体。
【化２】
2011509503.tif 000002
該式中、ｎは１〜２０の整数値であり、ｍはＯ、１、２、又は３であり、ｙはＯ、１、２、３又は４であり、ｚはＯ、１、２、又は３であり、
１）ＲＦ及びＲＦ’は、独立に、
１〜２０の炭素原子を含有する完全にフッ素化されたアルキル（ただし、ＲＦ’はトリフルオロメチルを含まない。）、
２〜２０の炭素原子及び１つ以上の二重結合を含有する完全にフッ素化されたアルケニル、
完全にフッ素化されたフェニル、又は
飽和、部分不飽和及び／若しくは完全に不飽和のシクロアルキルから選択され、
シクロアルキルはペルフルオロアルキルによって置換されてもよく、
２）アニオン中に２つ以上のＲＦ又はＲＦ’が存在する場合には、ＲＦ又はＲＦ’は１つ以上の単結合若しくは二重結合によって互いに結合されてよく、環状、二環状又多環状構造を形成してよく、
３）ヘテロ原子に対してα位ではない、置換基ＲＦ又はＲＦ’の１つの炭素原子又は２つの隣接しない炭素原子は、−Ｏ−、−Ｃ（Ｏ）−、−Ｓ−、−Ｓ（Ｏ）−、−ＳＯ２−、−Ｎ＝、−Ｎ＝Ｎ−、−ＮＲ’−、−ＰＲ’−及び−Ｐ（Ｏ）Ｒ’−から選択される原子及び／又は原子団によって置換されてもよいし、又はＲ’−Ｏ−ＳＯ２−又はＲ’−Ｏ−Ｃ（Ｏ）−の末端基を有してもよい、そしてＲ’は、１〜６の炭素原子を含有する非フッ素化、部分フッ素化若しくは完全フッ素化のアルキル、３〜７の炭素原子を含有する飽和若しくは部分飽和の環状アルキル基、無置換若しくは置換のフェニル、又は無置換若しくは置換のヘテロ環を表し、
４）ＲＦ及びＲＦ’を含む２つ以上のアニオンは、共通のＲＦ又はＲＦ’によって互いに結合されてよく、それによって、前記で示したように、負電荷の２つのアニオンを含む単一分子を形成し、
５）置換基ＲＦ又はＲＦ’は、−ＳＯ２Ｘ’、−Ｏ−、−ＳＯ２−、及び−ＮＲ’から選択される１つまたは２つの、原子、基、又は末端基を有してよく、原子、基又は末端基はα位に存在しなく、これらの２つは互いに結合しなく、Ｒ’は１〜６の炭素原子を含有する非フッ素化、部分フッ素化若しくは完全フッ素化のアルキルであるか、３〜７の炭素原子を含有する置換若しくは無置換のシクロアルキルであるか、置換若しくは無置換のフェニルであるか、又は置換若しくは無置換のヘテロ環であり、Ｘ’はＦ、Ｃｌ、又はＢｒであり、
６）置換基Ｒ１は、独立に、
Ｈ（ただし、ヘテロ原子に結合している少なくとも１つのＲ１はＨでない。）、
１〜２０の炭素原子を含有する直鎖または分岐アルキル、
２〜２０の炭素原子と１つ以上の二重結合とを含有する直鎖または分岐アルケニル、
２〜２０の炭素原子と１つ以上の三重結合とを含有する直鎖または分岐アルキニル、及び
３〜７の炭素原子を含有する飽和、部分飽和又は完全不飽和の環状アルキル基（その環状アルキル基は、１〜６の炭素原子を含有するアルキルによって更に置換されてもよい。）
から選択され、Ｒ１はＣＮ、ＳＣＮ、ＳｅＣＮ、ＮＯ２及び／又はハロゲンによって部分的に置換されてもよく、そのハロゲンはＦ、Ｃｌ、Ｂｒ、又はＩであり、
７）ヘテロ原子に対してα位ではない、置換基のＲ１の１つの炭素原子又は２つの隣接しない炭素原子は、−Ｏ−、−Ｃ（Ｏ）−、−Ｃ（Ｏ）Ｏ−、−Ｓ−、−Ｓ（Ｏ）−、−ＳＯ２−、−ＳＯ３−、−Ｎ＝、−Ｎ＝Ｎ−、−ＮＲ’−、−ＰＲ’−、−Ｐ（Ｏ）Ｒ’−、−Ｐ（Ｏ）Ｒ’Ｏ−、ＰＲ’２＝Ｎ−、−Ｃ（Ｏ）ＮＨ−、−Ｃ（Ｏ）ＮＲ’−、−ＳＯ２ＮＨ−又は−ＳＯ２ＮＲ’−から選択される原子及び／又は原子団によって置換されてもよく、そしてＲ’は、１〜６の炭素原子を含有する非フッ素化、部分フッ素化若しくは完全フッ素化のアルキル、３〜７の炭素原子を含有する飽和若しくは部分飽和の環状アルキル基、無置換若しくは置換のフェニル、又は無置換若しくは置換のヘテロ環を表す。
（態様８）
前記塩成分の少なくとも１つが、下記の式（Ｉ）で示されるカチオンを含む、態様２から７のいずれか１項に記載の複合イオン液体。
【化３】
2011509503.tif 000003
該式中、Ｒ２及びＲ３は、互いに独立に、Ｃｌ〜Ｃｌ０アルキル、好ましくはＣ１〜Ｃ４アルキル及びＣ２〜Ｃ１０アルケニルから選択され、そのアルキル及びアルケニルは直鎖でもよいし、又は少なくとも３つの炭素を含むならば、分岐若しくは環状でもよく、そして部分又は全体にハロゲン化されてもよい。
（態様９）
前記アルキルがＣ１〜Ｃ４アルキルであり、好ましくはＣ１〜Ｃ３アルキルであり、前記アルケニルがＣ２〜Ｃ４アルケニルであり、好ましくはＣ２〜Ｃ３アルケニルである、態様６から８のいずれか１項に記載の複合イオン液体。
（態様１０）
異なる２つのカチオンを含み、該２つのカチオンが、独立に、態様７に記載の置換イミダゾリウム化合物、及び／又は前記式（Ｉ）の化合物から選択される、態様２から９のいずれか１項に記載の複合イオン液体。
（態様１１）
ｌ−エチル−３−メチルイミダゾリウム（ＥＭＩＩ）、１、３−ジメチルイミダゾリウム（ＤＭＩＩ）、ｌ−プロピル−３−メチルイミダゾリウム（ＰＭＩＩ）、及びｌ−アリル−３−メチルイミダゾリウム（ＡＭＩＩ）から選択される少なくとも１つのカチオンを含む、態様２から１０のいずれか１項に記載の複合イオン液体。
（態様１２）
態様２から１１のいずれか１項に記載の複合イオン液体を含む、電解質。
（態様１３）
態様１２に記載の電解質を含む、光電子及び／又は電気化学デバイス。
（態様１４）
光電変換デバイスである、態様１及び／又は態様１３に記載の光電子及び／又は電気化学デバイス。
（態様１５）
態様２から１１のいずれか１項に記載の複合イオン液体を生産する方法であって、該方法が１つ以上の塩成分を他のもう１つの塩成分を含有する純粋系に導入する工程を含み、系のエントロピーを増加させて溶融温度を降下させる、方法。
（態様１６）
態様２から１１のいずれか１項に記載の複合イオン液体を生産する方法であって、該方法が、
態様１から３のいずれか１項に記載の少なくとも２つの成分塩を混合する工程、
該少なくとも２つの成分塩が溶融するように該混合された成分塩を加熱する工程であって、該加熱の温度が、最も高い溶融温度を有する成分塩の溶融を達成するために選択される工程、及び
均一に混合するために、１０〜６０分間振動するか、又は攪拌する工程を含み、それによって、常温溶融イオン液体を得る、方法。
（態様１７）
溶媒気化法である、態様２から１１のいずれか１項に記載の複合イオン液体を生産する方法。
（態様１８）
態様２から１１のいずれか１項に記載の複合イオン液体を生産する方法であって、該方法が、
常温よりも高い溶融温度で溶媒中のすくなくとも１つの成分塩を溶解する工程、
少なくとも１つであって、異なる塩成分を溶解させた塩成分に添加する工程、
該２つの塩成分と該溶媒とを５〜３０分間混合する工程、及び
真空ポンプを用いて、６０〜１００℃の３〜６時間で蒸発によって溶媒を除去する工程を含み、それによって、態様１から３のいずれか１項に記載の常温溶融液体を得る、方法。
（態様１９）
前記溶媒が１５０℃以下の低沸点を有する、態様１７又は１８に記載の方法。
（態様２０）
機械的な粉砕による、態様２から１１のいずれか１項に記載の複合イオン液体を生産する方法。
（態様２１）
態様２から１１のいずれか１項に記載の複合イオン液体を生産する方法であって、該方法が、
態様２から１１のいずれか１項に記載の少なくとも２つの塩成分を乳鉢に添加して、該少なくとも２つの塩成分の混合物を得る工程、
全ての固体が消失するまで該混合物を砕く工程、及び
６０〜１００℃の３〜６時間で、真空ポンプ中で結果として得られるイオン液体を乾燥する工程を含み、それによって、常温溶融イオン液体を得る、方法。
（態様２２）
超音波処理による、態様２から１１のいずれか１項に記載の複合イオン液体を生産する方法。
（態様２３）
態様２から１１のいずれか１項に記載の複合イオン液体を生産する方法であって、該方法が、
態様２から１１のいずれか１項に記載の生産物を混合する工程であって、少なくとも２つの塩成分が混合されて、該塩成分の少なくとも１つが、常温より高いか、及び／又は低い溶融温度を有する、工程、及び、
固体が消失するまで、２０〜６０分間、超音波で該混合物を処理する工程を含み、それによって、本発明の複合イオン液体を得る、方法。
（態様２４）
加熱工程、乾燥工程及び／又は蒸発工程を含み、該加熱工程、該乾燥工程及び／又は該蒸発工程中に、温度が任意の塩成分の分解温度以下で維持される、態様１５から２３のいずれか１項に記載の方法。
（態様２５）
密閉容器中で実施され、好ましくは保護雰囲気下で実施される、態様１５から２４のいずれか１項に記載の方法。
（態様２６）
溶媒、滑剤、電解質又は触媒としての態様２から１１のいずれか１項に記載の複合イオン液体の使用。
【誤訳訂正４】
【訂正対象書類名】特許請求の範囲
【訂正対象項目名】全文
【訂正方法】変更
【訂正の内容】
【特許請求の範囲】
【請求項１】
３つ以上の塩成分を含む、常温（２５℃）で液形態である複合イオン液体であって、該塩成分の少なくとも１つの溶融温度が常温（２５℃）よりも高温であり、該塩成分の少なくとも３つはカチオンを含み、該カチオンが、Ｎ＋、Ｐ＋、Ｃ＋、Ｓ＋、及びそれらの組み合わせの群から選択される少なくとも１つの荷電原子を含む有機化合物から独立に選択され、該有機化合物が１つ以上のヘテロ原子を含み、そして該複合イオン液体の該塩成分の２つまたは３つ以上は、同じアニオンまたは同じカチオンを有する、複合イオン液体。
【請求項２】
前記塩成分がイオン液体である、請求項１に記載の複合イオン液体。
【請求項３】
前記塩成分の前記カチオンが、独立に、次の化学構造式で示されるカチオンから選択される、請求項１又は２に記載の複合イオン液体。
【化４】
2011509503.tif 000004
該式中、
１）Ｒは独立に、
Ｈ（ただし、ヘテロ原子に結合している少なくとも１つのＲはＨでない。）、
１〜２０の炭素原子を含有する直鎖アルキル又は分岐アルキル、
２〜２０の炭素原子と１つ以上の二重結合とを含有する直鎖アルケニル又は分岐アルケニル、
２〜２０の炭素原子と１つ以上の三重結合とを含有する直鎖アルキニル又は分岐アルキニル、
３〜７の炭素原子を含有する飽和、部分飽和又は完全不飽和の環状アルキル、
それぞれのＲがヘテロ原子に結合されていないという条件で、Ｆ又はＣｌであるハロゲン、
それぞれのＲが正電荷によってヘテロ原子に結合されていなく、かつ、少なくとも１つのＲがＮＯ２ではないという条件で−ＮＯ２、及び
それぞれのＲが正電荷によってヘテロ原子に結合されていなく、かつ、少なくとも１つのＲがＣＮではないという条件で−ＣＮ、
から選択され、
（２）個々のＲは様々な場合において同一又は異なり、
２つ以上のＲは１つ以上の単結合及び／又は二重結合によって互いに結合されてよく、
少なくとも１つのＲがハロゲン化されていないという条件で、１つ以上のＲは、Ｆ又はＣｌであるハロゲンによって部分的に若しくは完全に水素が置換されるか、又は−ＣＮ若しくは−ＮＯ２によって部分的に置換され、
Ｒの１つ若しくは２つの炭素原子はヘテロ原子によって置換されるか、又は−Ｏ−、Ｃ（Ｏ）−、Ｃ（Ｏ）Ｏ−、−Ｓ−、−Ｓ（Ｏ）−、−ＳＯ２−、−Ｓ（Ｏ）２Ｏ−、−Ｎ＝、−Ｐ＝、−ＮＲ’−、−ＰＲ’−、−Ｐ（Ｏ）（ＯＲ’）−、−Ｐ（Ｏ）（ＯＲ’）Ｏ−、−Ｐ（Ｏ）（ＮＲ’Ｒ’）−、−Ｐ（Ｏ）（ＮＲ’Ｒ’）Ｏ−、−Ｐ（Ｏ）（ＮＲ’Ｒ’）ＮＲ’−、−Ｓ（Ｏ）ＮＲ’−若しくは−Ｓ（Ｏ）２ＮＲ’−から選択され、
該式中、Ｒ’は、Ｈ、１〜６の炭素原子を含有する非フッ素化、部分フッ素化若しくは完全フッ素化のアルキル、又は非フッ素化、部分フッ素化若しくは完全フッ素化のフェニルである。
【請求項４】
前記塩成分のアニオンが、独立に、次の化学式で示されるアニオンから選択される、請求項１から３のいずれか１項に記載の複合イオン液体。
【化５】
2011509503.tif 000005
該式中、ｎは１〜２０の整数値であり、ｍは０、１、２、又は３であり、ｙは０、１、２、３又は４であり、ｚは０、１、２、又は３であり、
１）ＲＦ及びＲＦ’は、独立に、
１〜２０の炭素原子を含有する完全にフッ素化されたアルキル（ただし、ＲＦ’はトリフルオロメチルを含まない。）、
２〜２０の炭素原子及び１つ以上の二重結合を含有する完全にフッ素化されたアルケニル、
完全にフッ素化されたフェニル、又は
飽和、部分不飽和及び／若しくは完全に不飽和のシクロアルキルから選択され、
シクロアルキルはペルフルオロアルキルによって置換されてもよく、
２）アニオン中に２つ以上のＲＦ又はＲＦ’が存在する場合には、ＲＦ又はＲＦ’は１つ以上の単結合若しくは二重結合によって互いに結合されてよく、環状、二環状又多環状構造を形成してよく、
３）ヘテロ原子に対してα位ではない、置換基ＲＦ又はＲＦ’の１つの炭素原子又は２つの隣接しない炭素原子は、−Ｏ−、−Ｃ（Ｏ）−、−Ｓ−、−Ｓ（Ｏ）−、−ＳＯ２−、−Ｎ＝、−Ｎ＝Ｎ−、−ＮＲ’−、−ＰＲ’−及び−Ｐ（Ｏ）Ｒ’−から選択される原子及び／又は原子団によって置換されてもよいし、又はＲ’−Ｏ−ＳＯ２−又はＲ’−Ｏ−Ｃ（Ｏ）−の末端基を有してもよい、そしてＲ’は、１〜６の炭素原子を含有する非フッ素化、部分フッ素化若しくは完全フッ素化のアルキル、３〜７の炭素原子を含有する飽和若しくは部分飽和の環状アルキル基、無置換若しくは置換のフェニル、又は無置換若しくは置換のヘテロ環を表し、
４）ＲＦ及びＲＦ’を含む２つ以上のアニオンは、共通のＲＦ又はＲＦ’によって互いに結合されてよく、それによって、前記で示したように、負電荷の２つのアニオンを含む単一分子を形成し、
５）置換基ＲＦ又はＲＦ’は、−ＳＯ２Ｘ’、−Ｏ−、−ＳＯ２−、及び−ＮＲ’から選択される１つまたは２つの、原子、基、又は末端基を有してよく、原子、基又は末端基はα位に存在しなく、これらの２つは互いに結合しなく、Ｒ’は１〜６の炭素原子を含有する非フッ素化、部分フッ素化若しくは完全フッ素化のアルキルであるか、３〜７の炭素原子を含有する置換若しくは無置換のシクロアルキルであるか、置換若しくは無置換のフェニルであるか、又は置換若しくは無置換のヘテロ環であり、Ｘ’はＦ、Ｃｌ、又はＢｒであり、
６）置換基Ｒ１は、独立に、
Ｈ（ただし、ヘテロ原子に結合している少なくとも１つのＲ１はＨでない。）、
１〜２０の炭素原子を含有する直鎖または分岐アルキル、
２〜２０の炭素原子と１つ以上の二重結合とを含有する直鎖または分岐アルケニル、
２〜２０の炭素原子と１つ以上の三重結合とを含有する直鎖または分岐アルキニル、及び
３〜７の炭素原子を含有する飽和、部分飽和又は完全不飽和の環状アルキル基（その環状アルキル基は、１〜６の炭素原子を含有するアルキルによって更に置換されてもよい。）
から選択され、Ｒ１はＣＮ、ＳＣＮ、ＳｅＣＮ、ＮＯ２及び／又はハロゲンによって部分的に置換されてもよく、そのハロゲンはＦ、Ｃｌ、Ｂｒ、又はＩであり、
７）ヘテロ原子に対してα位ではない、置換基のＲ１の１つの炭素原子又は２つの隣接しない炭素原子は、−Ｏ−、−Ｃ（Ｏ）−、−Ｃ（Ｏ）Ｏ−、−Ｓ−、−Ｓ（Ｏ）−、−ＳＯ２−、−ＳＯ３−、−Ｎ＝、−Ｎ＝Ｎ−、−ＮＲ’−、−ＰＲ’−、−Ｐ（Ｏ）Ｒ’−、−Ｐ（Ｏ）Ｒ’Ｏ−、ＰＲ’２＝Ｎ−、−Ｃ（Ｏ）ＮＨ−、−Ｃ（Ｏ）ＮＲ’−、−ＳＯ２ＮＨ−又は−ＳＯ２ＮＲ’−から選択される原子及び／又は原子団によって置換されてもよく、そしてＲ’は、１〜６の炭素原子を含有する非フッ素化、部分フッ素化若しくは完全フッ素化のアルキル、３〜７の炭素原子を含有する飽和若しくは部分飽和の環状アルキル基、無置換若しくは置換のフェニル、又は無置換若しくは置換のヘテロ環を表す。
【請求項５】
前記塩成分の少なくとも１つが、Ｉ−、［Ｂ（ＣＮ）４］−、及びＮＣＳ−から成る群から選択されるアニオンを含む、請求項１から４のいずれか１項に記載の複合イオン液体。
【請求項６】
前記塩成分の少なくとも１つが、下記の式（Ｉ）で示されるカチオンを含む、請求項１から５のいずれか１項に記載の複合イオン液体。
【化６】
2011509503.tif 000006
該式中、Ｒ２及びＲ３は、互いに独立に、Ｃ１〜Ｃ１０アルキル、Ｃ１〜Ｃ４アルキル及びＣ２〜Ｃ１０アルケニルから選択され、そのアルキル及びアルケニルは直鎖でもよいし、又は少なくとも３つの炭素を含むならば、分岐若しくは環状でもよく、そして部分又は全体にハロゲン化されてもよい。
【請求項７】
前記アルキルがＣ１〜Ｃ４アルキルであり、前記アルケニルがＣ２〜Ｃ４アルケニルである、請求項３から６のいずれか１項に記載の複合イオン液体。
【請求項８】
前記塩成分の少なくとも２つが、各々、異なるカチオンを含み、該異なるカチオンが、独立に、請求項３に記載の置換イミダゾリウム化合物、及び前記式（Ｉ）の化合物の群から選択される、請求項１から７のいずれか１項に記載の複合イオン液体。
【請求項９】
前記塩成分の少なくとも１つが、ｌ−エチル−３−メチルイミダゾリウム（ＥＭＩＩ）、１、３−ジメチルイミダゾリウム（ＤＭＩＩ）、ｌ−プロピル−３−メチルイミダゾリウム（ＰＭＩＩ）、及びｌ−アリル−３−メチルイミダゾリウム（ＡＭＩＩ）の群から選択される、請求項１から８のいずれか１項に記載の複合イオン液体。
【請求項１０】
請求項１から９のいずれか１項に記載の複合イオン液体を含む、電解質。
【請求項１１】
請求項１０に記載の電解質を含む、光電子及び／又は電気化学デバイス。
【請求項１２】
光電変換デバイス、光（太陽）電池及び色素増感太陽電池から選ばれる、請求項１１に記載の光電子及び／又は電気化学デバイス。
【請求項１３】
溶媒、滑剤、電解質又は触媒としての請求項１から９のいずれか１項に記載の複合イオン液体の使用。